(57)【要約】【課題】携帯型の端末装置の接続位置を示す位置情報を通信網にて管理することを可能とする宅内ＶｏＩＰ終端装置を提供する。【解決手段】宅内ＶｏＩＰ終端装置３０において、番号対応情報ＤＢ３３は、内線番号と外線番号とを対応付けた対応情報を予め記憶する。端末側送受信部３５は、新たに接続する無線端末装置から、内線番号を含む接続要求を受信する。転送部３２は、番号対応情報ＤＢ３３に記憶される対応情報に基づいて、端末側送受信部３５が受信する接続要求に含まれる内線番号を外線番号へ変換する。網側送受信部３１は、自装置に対応付けられる接続位置を示す情報と、転送部３２が変換した外線番号とを含む位置登録要求を通信事業者のＩＰネットワークに送信する。【選択図】図２
2007311870.tif 000002
【特許請求の範囲】
【請求項１】
内線番号により通信を行い、接続位置を変更可能な端末装置と、前記端末装置に接続され、前記内線番号に基づいて端末装置への通信を中継する終端装置と、外線番号と前記終端装置の自網内における位置情報とを対応付けて登録を行い、登録した外線番号と位置情報の対応情報に基づいて前記端末装置宛の呼制御信号を前記端末装置の接続先の終端装置へ送信する通信網とを備えた通信システムにおける終端装置であって、
前記内線番号と前記外線番号とを対応付けた対応情報を予め記憶する記憶手段と、
新たに接続する端末装置から、前記内線番号を含む接続要求を受信する端末側受信手段と、
前記記憶手段に記憶される対応情報に基づいて、前記端末側受信手段が受信する前記接続要求に含まれる内線番号を外線番号へ変換する変換手段と、
前記通信網にて自装置に対応付けられる前記位置情報と、前記変換手段が変換した外線番号とを含む位置登録要求を前記通信網に送信する網側送信手段と、
を備えたことを特徴とする終端装置。
【請求項２】
内線番号により通信を行い、接続位置を変更可能な端末装置と、前記端末装置に接続され、前記内線番号に基づいて端末装置への通信を中継する終端装置と、外線番号と前記終端装置の自網内における位置情報とを対応付けて登録を行う位置情報管理装置を内部に有し、前記位置情報管理装置により登録された外線番号と位置情報の対応情報に基づいて前記端末装置宛の呼制御信号を前記端末装置の接続先の終端装置へ送信する通信網とを備えた通信システムにおいて、
前記端末装置は、
前記内線番号を含む接続要求を前記終端装置に送信する送信手段を備え、
前記終端装置は、
前記内線番号と前記外線番号とを対応付けた対応情報を予め記憶する記憶手段と、
前記端末装置から前記内線番号を含む接続要求を受信する端末側受信手段と、
前記記憶手段に記憶される対応情報に基づいて、前記端末側受信手段が受信する前記接続要求に含まれる内線番号を外線番号へ変換する変換手段と、
前記通信網にて自装置に対応付けられる前記位置情報と、前記変換手段が変換した外線番号とを含む位置登録要求を前記通信網を通じて前記位置情報管理装置に送信する網側送信手段と、を備え、
前記位置情報管理装置は、
前記外線番号と前記接続位置を記憶する位置情報管理記憶手段と、
前記終端装置から位置登録要求を受信する受信手段と、
前記受信手段が受信する位置登録要求に含まれる外線番号に基づいて、前記位置情報記憶手段に前記位置登録要求に含まれる位置情報を書込んで登録する登録手段と、
を備えたことを特徴とする通信システム。
【発明の詳細な説明】
【技術分野】
【０００１】
本発明は、例えば、ＶｏＩＰ通信サービスを提供する通信網にて用いられる終端装置、及び通信システムに関する。
【背景技術】
【０００２】
ＩＰ網を通じて電話通信サービスを提供するＶｏＩＰ(Voice Over IP)通信サービスでは、通信事業者の通信網に接続されるＶｏＩＰ通信サービス用の終端装置を、ユーザ宅ごとに設置し、ユーザは、ＶｏＩＰ端末装置を、当該終端装置に有線、あるいは無線で接続させて、ＶｏＩＰ通信サービスを利用する形態が採用されている。
【０００３】
ところで、一般に、通信サービスにおいては、端末装置の位置情報を取得することで、さらに、高度な通信サービスを展開することができ、例えば、特許文献１などでは、無線端末装置の位置情報を取得する技術などが開示されている。
【特許文献１】特開２００４−２４８２９１号公報
【発明の開示】
【発明が解決しようとする課題】
【０００４】
前述した、ＶｏＩＰ通信サービスでは、端末装置は一度、終端装置により中継されて通信網に接続されているため、通信網側から監視可能な装置は、終端装置までであり、通信網側から端末装置を直接監視することはできない。従って、端末装置が、１つの終端装置に固定的に接続されている場合であれば、通信網にて、終端装置の位置情報を管理しておけば、当該位置情報がそのまま端末装置の接続位置を示すことになる。
【０００５】
しかしながら、近年のＶｏＩＰ端末装置では、外出時には携帯電話端末として機能し、在宅時には、ＶｏＩＰの無線端末装置として機能する携帯型の端末装置が存在しており、このような端末装置の接続位置を通信網側にて管理することができないという問題がある。
【０００６】
本発明は、上記問題を解決すべくなされたもので、その目的は、携帯型の端末装置の接続位置を示す位置情報を通信網にて登録することを可能とする終端装置、及び通信システムを提供することにある。
【課題を解決するための手段】
【０００７】
上記問題を解決するために、本発明は、内線番号により通信を行い、接続位置を変更可能な端末装置と、前記端末装置に接続され、前記内線番号に基づいて端末装置への通信を中継する終端装置と、外線番号と前記終端装置の自網内における位置情報とを対応付けて登録を行い、登録した外線番号と位置情報の対応情報に基づいて前記端末装置宛の呼制御信号を前記端末装置の接続先の終端装置へ送信する通信網とを備えた通信システムにおける終端装置であって、前記内線番号と前記外線番号とを対応付けた対応情報を予め記憶する記憶手段と、新たに接続する端末装置から、前記内線番号を含む接続要求を受信する端末側受信手段と、前記記憶手段に記憶される対応情報に基づいて、前記端末側受信手段が受信する前記接続要求に含まれる内線番号を外線番号へ変換する変換手段と、前記通信網にて自装置に対応付けられる前記位置情報と、前記変換手段が変換した外線番号とを含む位置登録要求を前記通信網に送信する網側送信手段と、を備えたことを特徴とする終端装置である。
【０００８】
また、本発明は、内線番号により通信を行い、接続位置を変更可能な端末装置と、前記端末装置に接続され、前記内線番号に基づいて端末装置への通信を中継する終端装置と、外線番号と前記終端装置の自網内における位置情報とを対応付けて登録を行う位置情報管理装置を内部に有し、前記位置情報管理装置により登録された外線番号と位置情報の対応情報に基づいて前記端末装置宛の呼制御信号を前記端末装置の接続先の終端装置へ送信する通信網とを備えた通信システムにおいて、前記端末装置は、前記内線番号を含む接続要求を前記終端装置に送信する送信手段を備え、前記終端装置は、前記内線番号と前記外線番号とを対応付けた対応情報を予め記憶する記憶手段と、前記端末装置から前記内線番号を含む接続要求を受信する端末側受信手段と、前記記憶手段に記憶される対応情報に基づいて、前記端末側受信手段が受信する前記接続要求に含まれる内線番号を外線番号へ変換する変換手段と、前記通信網にて自装置に対応付けられる前記位置情報と、前記変換手段が変換した外線番号とを含む位置登録要求を前記通信網を通じて前記位置情報管理装置に送信する網側送信手段と、を備え、前記位置情報管理装置は、前記外線番号と前記接続位置を記憶する位置情報管理記憶手段と、前記終端装置から位置登録要求を受信する受信手段と、前記受信手段が受信する位置登録要求に含まれる外線番号に基づいて、前記位置情報記憶手段に前記位置登録要求に含まれる位置情報を書込んで登録する登録手段と、を備えたことを特徴とする通信システムである。
【発明の効果】
【０００９】
この発明によれば、終端装置は、外線番号と端末装置の接続位置とを対応付けて登録を行い、登録した外線番号と接続位置の対応情報に基づいて外線番号を含む呼制御信号を送受信する通信網に接続され、内線番号と外線番号とを対応付けた対応情報を予め記憶手段に記憶させ、新たに接続する端末装置から、内線番号を含む接続要求を受信し、記憶手段に記憶される対応情報に基づいて、受信する接続要求に含まれる内線番号を外線番号へ変換し、自装置に対応付けられる接続位置を示す情報と、変換した外線番号とを含む位置登録要求を通信網に送信する構成とした。これにより、終端装置に端末装置が接続すると、当該端末装置の位置情報として終端装置に対応付けられる接続位置を示す情報を通信網に送信して、通信網が登録を行うことで、端末装置の接続位置を通信網にて管理することが可能となる。
【００１０】
また、この発明によれば、通信システムにおいて、端末装置は、内線番号を含む接続要求を前記終端装置に送信し、終端装置は、内線番号と外線番号とを対応付けた対応情報を予め記憶手段に記憶させ、端末装置から内線番号を含む接続要求を受信し、記憶手段に記憶される対応情報に基づいて、受信する接続要求に含まれる内線番号を外線番号へ変換し、通信網にて自装置に対応付けられる接続位置を示す情報と、変換した外線番号とを含む位置登録要求を通信網を通じて位置情報管理装置に送信する。位置情報管理装置は、終端装置から位置登録要求を受信し、受信する位置登録要求に含まれる外線番号に基づいて、位置情報記憶手段に位置登録要求に含まれる接続位置を示す情報を書込んで登録する構成とした。これにより、終端装置に端末装置が接続すると、当該端末装置の位置情報として終端装置に対応付けられる接続位置を示す情報を通信網に備えられる位置情報管理装置に送信し、位置情報管理装置が登録を行うことで、端末装置の接続位置を通信網側にて管理することが可能となる。
【発明を実施するための最良の形態】
【００１１】
以下、本発明の実施形態を図面を参照して説明する。
図１は、本実施形態による通信システム１を示す概略ブロック図である。
通信システム１は、通信事業者Ａが運営する通信網１００と、住宅２００に設置される宅内ＶｏＩＰ終端装置３０と、宅内ＶｏＩＰ終端装置３０を通じて通信網１００に接続する無線端末装置４０と、通信網１００に接続する固定電話端末装置６０とを備えている。
【００１２】
図１において、通信事業者Ａは、いわゆる固定電話の通信サービスとＶｏＩＰの通信サービスを提供する通信事業者であり、通信事業者Ａにより運営される通信網１００は、ＩＰネットワーク５０と公衆電話ネットワーク５５の２つのネットワークを有している。通信網１００において、呼制御装置５１は、例えば、ＳＩＰ(Session Initiation Protocol)サーバなどが適用され、公衆電話ネットワーク５５に接続される端末と、ＩＰネットワーク５０に接続される端末との間での呼制御を行う。位置情報管理装置１０は、ＩＰネットワーク５０に接続され、呼制御装置５１からの要求に基づいて、内部に記憶している無線端末装置４０の位置情報を応答する。ＧＷ(GateWay)５２は、他の通信事業者の通信網と接続する装置である。
【００１３】
宅内ＶｏＩＰ終端装置３０は、例えば、ＶｏＩＰによる通信を行う機能を有する宅内用のルータなどが適用され、ＩＰネットワーク５０で一意に識別可能なＩＰアドレスと、当該ＩＰアドレスに対応付けられるドメイン名、例えば、「terminal1.netA.com」などが予め付与されている。また、宅内ＶｏＩＰ終端装置３０は、通信網１００の終端装置として通信網１００のＩＰネットワーク５０に接続され、無線ＬＡＮ(Local Area Network)により無線端末装置４０に接続される。また、宅内ＶｏＩＰ終端装置３０は、通信事業者Ａにより無線端末装置４０に対して予め付与される電話番号と、無線端末装置４０の内部に設定する内線番号とを対応付けて記憶している。ここで、通信事業者Ａにより予め付与される電話番号とは、通信網１００にて呼接続処理などが可能な、いわゆる外線の電話番号（以下、固定電話通信サービスを提供する通信事業者により付与される電話番号を外線番号と記載）である。なお、外線番号としては、「０３−ＸＸＸＸ−１１１１」などの０ＡＢ−Ｊの形式のものが付与される。固定電話端末装置６０は、例えば、有線で公衆電話ネットワーク５５に接続される電話端末であり、前述した外線番号が通信事業者Ａにより予め付与されている。
【００１４】
無線端末装置４０は、例えば、宅内ＶｏＩＰ終端装置３０を通じてＶｏＩＰ通信サービスを提供する通信網に接続してＶｏＩＰの音声通信を行う機能と、携帯電話端末として移動体通信サービスが提供される通信網に接続して音声通信を行う機能を有し、受信する無線信号の電波強度に基づいて、接続先の通信網を切り替えて接続することが可能とする携帯型の端末装置である。また、無線端末装置４０は、宅内ＶｏＩＰ終端装置３０と接続する際に用いる内線番号と、携帯電話端末として機能する際に移動体通信サービスが提供される通信網に接続する際に用いる電話番号（以下、移動体通信サービスを提供する通信事業者により付与される電話番号を携帯番号と記載）とを内部に記憶している。
【００１５】
次に、図２を参照しつつ宅内ＶｏＩＰ終端装置３０の内部構成について説明する。
宅内ＶｏＩＰ終端装置３０において、網側送受信部３１は、ＬＡＮケーブルなどによりＩＰネットワーク５０に接続される。端末側送受信部３５は、無線ＬＡＮ(Local Area Network)の通信機能を有しており、接続するアンテナ３６を通じて無線端末装置４０から接続要求を受信すると、無線端末装置４０との間で無線ＬＡＮにおける回線を確立する。このとき、宅内ＶｏＩＰ終端装置３０は、無線端末装置４０に対してＤＨＣＰ（Dynamic Host Configuration Protocol）等により、ＩＰアドレスを付与し、付与したＩＰアドレスと、無線端末装置４０の内線番号とを対応付けて内部に記憶する。
【００１６】
番号対応情報ＤＢ(Data Base)３３は、図３（ａ）に示すデータ構成を有しており、無線端末装置４０に記憶される内線番号と、予め通信事業者Ａから無線端末装置４０に付与される外線番号とを対応付けて記憶している。図３（ａ）では、２つの内線番号に対して２つの外線番号を対応付けて記憶させており、この２つの内線番号は、２つの異なる無線端末装置に予め付与され、それぞれの無線端末装置にて内部に記憶されることとなる。
【００１７】
送信先情報ＤＢ３４は、図３（ｂ）に示すデータ構成を有しており、「送信先」、「アドレス」、「送信情報種別」の項目を備えている。「送信先」には、送信先となる装置の名称、すなわち位置情報管理装置と呼制御装置とが設定される。「アドレス」の項目において位置情報管理装置の行には、位置情報管理装置１０のＩＰネットワーク５０におけるＩＰアドレス（アドレスＡ）が設定され、呼制御装置の行には、呼制御装置５１のＩＰネットワーク５０におけるＩＰアドレス（アドレスＢ）が設定される。「送信情報種別」の項目において、位置情報管理装置の行には、位置登録要求等の送信情報の種別が設定され、呼制御装置の行には、呼設定要求や呼切断要求などの呼制御に関する送信情報の種別が設定される。
【００１８】
転送部３２は、端末側送受信部３５がアンテナ３６を通じて無線端末装置４０から端末登録要求を受信した場合、端末登録要求に含まれる内線番号に対応する外線番号を番号対応情報ＤＢ３３から読み出し、端末登録要求の内線番号を外線番号に変換する。また、転送部３２は、変換した外線番号と、宅内ＶｏＩＰ終端装置３０に予め付与されるドメイン名を在圏情報として含む位置登録要求を生成し、位置登録要求の送信先アドレスとして送信先情報ＤＢ３４に記憶される位置情報管理装置１０のアドレス（アドレスＡ）設定して、位置登録要求を網側送受信部３１を通じてＩＰネットワーク５０に送出する。
【００１９】
また、転送部３２は、ＩＰネットワーク５０から、無線端末装置４０に対応する外線番号を含む着信要求を受信した場合、着信要求に含まれる外線番号を番号対応情報ＤＢ３３に基づいて内線番号に変換し、端末側送受信部３５を通じて内線番号に対応する無線端末装置４０に着信要求を送信する。
【００２０】
次に、図４を参照しつつ、位置情報管理装置１０の内部構成について説明する。位置情報管理装置１０において、送受信部１１は、ＩＰネットワーク５０に接続され、受信情報に応じて検索部１２、あるいは登録部１３に振り分けて入力する。例えば、受信した情報が位置情報要求の場合には、検索部１２に情報を入力し、受信情報が位置登録要求の場合には、登録部１３に入力する。
【００２１】
位置情報管理ＤＢ１４は、図５に示すデータ構成を有し、複数の通信事業者を示す項目と、「位置情報」の項目とを備え、１台の無線端末装置４０に対して異なる通信事業者ごとに付与された複数の電話番号と、位置情報とが対応付けて記憶されている。図５において、例えば、１行目に示される無線端末装置には、固定電話通信サービスとＶｏＩＰ通信サービスを提供する通信事業者Ａから「０３−ＸＸＸＸ−１１１１」の外線番号が付与され、移動体通信サービスを提供する通信事業者Ｂから「０９０−ＹＹＹＹ−７７７７」の携帯番号が付与されている。また、図５の２行目及び３行目に示される無線端末装置には、通信事業者Ａと通信事業者Ｂに付与される電話番号に加えて公衆無線ＬＡＮのＶｏＩＰ通信サービスを提供する通信事業者Ｃにより「０５０−ＺＺＺＺ−９９９９」や「０５０−ＴＴＴＴ−５５５５」のＶｏＩＰ通信用の電話番号が付与されている。
【００２２】
図５において、「位置情報」は、無線端末装置の接続位置を示す情報が設定される。例えば、１行目に示す例は、無線端末装置が通信事業者Ａの通信網の宅内ＶｏＩＰ終端装置３０に接続している場合であり、上述した宅内ＶｏＩＰ終端装置３０に付与される「terminal1.netA.com」のドメイン名が設定される。通信事業者Ａの通信網１００には接続されておらず、通信事業者Ｂ、あるいは通信事業者Ｃの通信網に接続されている場合には、２行目及び３行目に示すように「通信事業者Ｂ」、「通信事業者Ｃ」などの通信事業者を示す名称が設定される。
【００２３】
図４において、登録部１３は、送受信部１１により、送受信部１１が宅内ＶｏＩＰ終端装置３０から受信した位置登録要求が入力される。また、登録部１３は、送受信部１１から入力された位置登録要求に含まれる電話番号に対応する位置情報管理ＤＢ１４のエントリを検出し、検出したエントリの「位置情報」の項目に位置登録要求に在圏情報として含まれる宅内ＶｏＩＰ終端装置３０のドメイン名を書込んで登録する。また、登録部１３は、送受信部１１が他の通信事業者の通信網から位置登録要求を受信すると、受信した位置登録要求に含まれる電話番号に対応する位置情報管理ＤＢ１４のエントリを検出し、検出したエントリの「位置情報」の項目に端末登録要求に含まれる送信元の通信事業者を示す情報を書込んで登録する。
【００２４】
検索部１２は、呼制御装置５１から、無線端末装置４０の外線番号を含む位置情報要求を受信し、受信した位置情報要求に含まれる外線番号に対応する位置情報管理ＤＢ１４のエントリを検出し、検出したエントリの「位置情報」の項目を読み出し、読み出した項目の情報がドメイン名の場合には「宅内」を含む位置情報応答を呼制御装置５１に送信する。また、検索部１２は、読み出した項目の情報が通信事業者を示すものである場合、当該通信事業者を示す情報と、当該通信事業者により無線端末装置４０に付与されている電話番号とを含む位置情報応答を呼制御装置５１に送信する。
【００２５】
次に、図６及び図７を参照しつつ無線端末装置４０の位置情報登録処理について説明する。図６は、無線端末装置４０が宅内ＶｏＩＰ終端装置３０に接続する際に、宅内ＶｏＩＰ終端装置３０によって行われる通信網１００内に設置される位置情報管理装置１０に対する位置情報登録処理の流れを示した図である。
【００２６】
図６において、まず最初に、宅内ＶｏＩＰ終端装置３０は、電源が投入されて起動すると呼制御装置５１に宅内ＶｏＩＰ終端装置３０に予め付与されているドメイン名と宅内ＶｏＩＰ終端装置に登録されている外線番号とを含む登録要求を送信する。呼制御装置５１は、宅内ＶｏＩＰ終端装置３０から登録要求を受信すると、登録要求に含まれるドメイン名と外線番号とを対応付けて内部の経路情報に登録する（ステップＳａ１）。
【００２７】
次に、無線端末装置４０は、電源が投入されて起動すると、宅内ＶｏＩＰ終端装置３０の端末側送受信部３５との間で接続を行い、接続後に、内部に記憶する内線番号を含む端末登録要求を無線信号により宅内ＶｏＩＰ終端装置３０に送信する（ステップＳａ２）。宅内ＶｏＩＰ終端装置３０の端末側送受信部３５はアンテナ３６を通じて端末登録要求を受信し、受信した端末登録要求を転送部３２に入力する。転送部３２は、入力される端末登録要求に含まれる内線番号に対応する外線番号を番号対応情報ＤＢ３３から読み出し、端末登録要求の内線番号を外線番号に変換し、変換した外線番号と、宅内ＶｏＩＰ終端装置３０に予め付与されるドメイン名を在圏情報として含む位置登録要求を生成する（ステップＳａ３）。そして、転送部３２は、位置登録要求の送信情報種別に基づいて送信先情報ＤＢ３４に予め記憶されている位置情報管理装置１０のアドレスであるアドレスＡを読み出し、読み出したアドレスＡを位置登録要求の送信先アドレスとして設定して位置登録要求を網側送受信部３１に入力する（ステップＳａ４）。網側送受信部３１は、入力される位置登録要求を位置情報管理装置１０に送信する（ステップＳａ５）。
【００２８】
位置情報管理装置１０の送受信部１１は、宅内ＶｏＩＰ終端装置３０から位置登録要求を受信すると、受信した位置登録要求を登録部１３に入力する。登録部１３は、入力される位置情報要求に含まれる外線番号と番号が一致するエントリを位置情報管理ＤＢ１４から検出し、検出したエントリの「位置情報」に、位置情報要求に含まれるドメイン名を書込んで登録する（ステップＳａ６）。
【００２９】
次に、図７を参照して、無線端末装置４０が他の通信事業者の通信網に接続する場合の、位置情報管理装置による位置情報登録処理について説明する。
【００３０】
図７は、図１で説明した通信システム１の通信事業者Ａの通信網に、移動体通信事業者である通信事業者Ｂの通信網１００Ｂが接続した通信システム１ａの構成を示したブロック図である。図７において、図１の通信網１００は、通信網１００Ａに対応し、位置情報管理装置１０は、位置情報管理装置１０Ａに対応し、呼制御装置５１は、呼制御装置５１Ａに対応している。また、ＧＷ５２は、ＧＷ５２Ａに対応する。ＧＷ５３Ａは、図１では示されていないが、対向する通信網１００Ｂの位置情報管理装置１０Ｂに接続されるＧＷ５３Ｂに接続される。
【００３１】
また、通信事業者Ｂの通信網１００Ｂにおいて、基地局装置７０は、呼制御装置５１Ｂと位置情報管理装置１０Ｂに接続され、ＣＤＭＡ(Code Division Multiple Access)などの通信方式により無線端末装置４０と通信を行う。位置情報管理装置１０Ｂと呼制御装置５１Ｂは、基地局装置７０と接続する以外の機能については、通信網１００Ａの位置情報管理装置１０Ａと呼制御装置５１Ａと同じ機能を有する装置である。また、以下の説明において、位置情報管理装置１０Ａの機能部については、図４の機能部の符号に「Ａ」を加えて記載し、位置情報管理装置１０Ｂの機能部については、図４の機能部の符号に「Ｂ」を加えて記載する。
【００３２】
まず最初に無線端末装置４０がユーザに携帯されることで、住宅２００から屋外に移動する（ステップＳｂ１）。屋外に移動した無線端末装置４０は、宅内ＶｏＩＰ終端装置３０との接続が電波圏外となることにより切断され、新たに基地局装置７０と接続する。次に、無線端末装置４０は、内部に予め記憶する、通信事業者Ｂにより付与されている携帯番号を含む位置登録要求を基地局装置７０を通じて位置情報管理装置１０Ｂに送信する（ステップＳｂ２）。位置情報管理装置１０Ｂの登録部１３Ｂは、受信した位置登録要求に含まれる携帯番号を含むエントリを位置情報管理ＤＢ１４Ｂから検出し、検出したエントリの「位置情報」の項目に通信網１００Ｂに存在することを示す在圏情報を書込んで登録する。次に、登録部１３Ｂは、検出したエントリに含まれる他の電話番号を管理する位置情報管理装置、ここでは位置情報管理装置１０Ａを検出する。そして、登録部１３Ｂは、送受信部１１Ｂを通じて、携帯番号と、通信事業者Ｂを示す在圏情報とを含む位置登録要求を位置情報管理装置１０Ａを送信先として送信する（ステップＳｂ３）。
【００３３】
位置情報管理装置１０Ａの送受信部１１Ａは、位置情報管理装置１０Ｂから位置登録要求を受信すると、受信した位置登録要求を登録部１３Ａに入力する。登録部１３Ａは、入力される位置登録要求に含まれる携帯番号に対応するエントリを位置情報管理ＤＢ１４Ａから検出し、検出したエントリの「位置情報」の項目に、位置登録要求に含まれる通信事業者Ｂを示す情報を書込んで登録する（ステップＳｂ４）。
【００３４】
上記の図６及び図７の構成により、位置情報管理装置にて、無線端末装置４０が宅内ＶｏＩＰ終端装置３０に接続している場合には、宅内ＶｏＩＰ終端装置３０のドメイン名を無線端末装置４０の位置情報として登録することができる。また、無線端末装置４０が他の通信事業者の通信網に接続する場合にも接続先の通信事業者を示す情報を無線端末装置４０の位置情報として登録することができる。このように、無線端末装置４０の接続位置を示す位置情報を登録できるようにすることで、後述する呼制御処理において、発信側のユーザにて、無線端末装置４０のどの電話番号が有効、すなわち呼接続できるか否かを考慮せず、無線端末装置４０に付与される電話番号のいずれか１つにより発信要求を行うことで、無線端末装置４０に接続することが可能となる。
【００３５】
次に、図８から図１１を参照しつつ、図６及び図７の処理により位置情報が登録された状態を前提とした場合の呼接続処理について説明する。
【００３６】
図８及び図９は、宅内ＶｏＩＰ終端装置３０に無線端末装置４０が接続している場合に、固定電話端末装置６０から発信が行われた際の呼接続処理を示した図である。
【００３７】
図８において、ステップＳｃ１からステップＳｃ４の処理は、前述した図６を参照して説明した無線端末装置４０の位置情報の登録処理である。以下、図８のステップＳｃ５以降のシーケンス図の処理の流れと、図９の処理を対応させて呼接続処理について説明する。
【００３８】
まず最初に、固定電話端末装置６０から、宅内ＶｏＩＰ終端装置３０にて無線端末装置４０に割り当てられた外線番号である「０３−ＸＸＸＸ−１１１１」を発信先とする発信要求が送信される（ステップＳｃ５、Ｓｄ１）。呼制御装置５１Ａは、固定電話端末装置６０からの発信要求を受信すると、発信要求に含まれる外線番号を読み出し、読み出した外線番号を含む位置情報要求を位置情報管理装置１０Ａに送信する（ステップＳｃ６、Ｓｄ２）。
【００３９】
位置情報管理装置１０Ａの送受信部１１Ａは、呼制御装置５１Ａから位置情報要求を受信すると、受信した位置情報要求を検索部１２Ａに入力する。検索部１２Ａは、入力される位置情報要求に含まれる外線番号に一致するエントリを位置情報管理ＤＢ１４から検出し、検出したエントリの「位置情報」の項目を読み出す。ここでは、「位置情報」に、宅内ＶｏＩＰ終端装置３０のドメイン名が登録されているため、通信網１００Ａ内であることを示す「宅内」を含む位置情報応答を送受信部１１Ａを通じて呼制御装置５１Ａに送信する（ステップＳｃ７、Ｓｄ３）。
【００４０】
呼制御装置５１Ａは、受信した位置情報応答に「宅内」が含まれているため、固定電話端末装置６０から受信した発信要求に含まれる外線番号に基づいて、内部に記憶している経路情報から宅内ＶｏＩＰ終端装置３０を送信先として検出し、発信要求を着信要求として宅内ＶｏＩＰ終端装置３０に送信する（ステップＳｃ８、Ｓｄ４）。宅内ＶｏＩＰ終端装置３０は、受信した着信要求に含まれる外線番号を番号対応情報ＤＢ３３に基づいて内線番号へ変換し、変換した内線番号を含む着信要求を無線端末装置４０に送信し、無線端末装置４０が着信して、固定電話端末装置６０との間に呼が確立する（ステップＳｃ９、Ｓｄ４）。
【００４１】
次に、図１０及び図１１は、無線端末装置４０が屋外に移動し、宅内ＶｏＩＰ終端装置３０との接続が電波圏外となることにより切断され、新たに基地局装置７０と接続している場合に、固定電話端末装置６０から発信が行われた際の呼接続処理を示した図である。
【００４２】
図１０において、ステップＳｅ１からステップＳｅ３の処理は、前述した図７を参照して説明した無線端末装置４０の位置情報の登録処理である。以下、図１０のステップＳｅ５以降のシーケンス図の処理の流れと、図１１の処理を対応させて呼接続処理について説明する。
【００４３】
まず最初に、固定電話端末装置６０から、宅内ＶｏＩＰ終端装置３０にて無線端末装置４０に割り当てられた外線番号である「０３−ＸＸＸＸ−１１１１」を発信先とする発信要求が送信される（ステップＳｅ５、Ｓｆ１）。呼制御装置５１Ａは、固定電話端末装置６０からの発信要求を受信すると、発信要求に含まれる外線番号を読み出し、読み出した外線番号を含む位置情報要求を位置情報管理装置１０Ａに送信する（ステップＳｅ６、Ｓｆ２）。
【００４４】
位置情報管理装置１０Ａの送受信部１１Ａは、呼制御装置５１Ａから位置情報要求を受信すると、受信した位置情報要求を検索部１２Ａに入力する。検索部１２Ａは、入力される位置情報要求に含まれる外線番号に一致するエントリを位置情報管理ＤＢ１４から検出し、検出したエントリの「位置情報」の項目を読み出す。ここでは、「位置情報」に、通信事業者Ｂを示す情報である「通信事業者Ｂ」が登録されているため、「通信事業者Ｂ」を検出する。検索部１２Ａは、検出した位置情報が、通信網１００Ａ内の装置でないため、当該エントリから検出した「通信事業者Ｂ」により付与されている携帯番号「０９０−ＹＹＹＹ−７７７７」を読み出す。そして、検索部１２Ａは、位置情報として検出した「通信事業者Ｂ」の情報と、携帯番号「０９０−ＹＹＹＹ−７７７７」とを含む位置情報応答を送受信部１１Ａを通じて呼制御装置５１Ａに送信する（ステップＳｅ７、Ｓｆ３）。
【００４５】
呼制御装置５１Ａは、受信した位置情報応答に「通信事業者Ｂ」が含まれているため、内部に記憶している経路情報から通信事業者Ｂの呼制御装置５１Ｂを送信先として検出し、固定電話端末装置６０から受信した発信要求に含まれる外線番号を位置情報応答に含まれる携帯番号に変換して着信要求とし、着信要求を呼制御装置５１Ｂに送信する（ステップＳｅ８、Ｓｆ４）。呼制御装置５１Ｂは、受信した着信要求に含まれる携帯番号に基づいて、基地局装置７０を通じて無線端末装置４０に着信要求を送信し、無線端末装置４０が着信して、固定電話端末装置６０との間に呼が確立する（ステップＳｅ９、Ｓｆ５）。
【００４６】
上記の処理により、発信側の固定電話端末装置６０のユーザは、無線端末装置４０に付与される外線番号により発信要求を行うことで、無線端末装置４０の接続位置に関わらず、無線端末装置４０に接続することが可能となり、無線端末装置４０のどの電話番号が有効、すなわち呼接続できるか否かを考慮せずに発信を行うことが可能となる。
【００４７】
また、上記の処理では、通信網１００Ａにより付与される外線番号にて発信することとしているが、例えば、無線端末装置４０が宅内ＶｏＩＰ終端装置３０に接続している場合に、通信網１００Ｂに接続する他の無線端末装置から無線端末装置４０の携帯番号により発信されたとしても、通信網１００Ｂから通信網Ａに発信要求が転送され、無線端末装置４０へ着信要求を送信して、呼を確立させることが可能である。
【００４８】
また、上記の実施形態の構成において、例えば、位置情報管理装置１０の位置情報管理ＤＢ１４のデータ構成に優先度を設け、無線端末装置４０が、移動体通信サービスを提供する通信網と、公衆無線ＬＡＮのＶｏＩＰサービスを提供する通信網に接続している場合には、両方の通信網を示す位置情報を位置情報管理ＤＢ１４に登録できるようにしておく。そして、無線端末装置４０への発信要求が発生した場合には、優先度に基づいて、例えば、料金の低い公衆無線ＬＡＮのＶｏＩＰサービスを提供する通信網を通じて、無線端末装置４０に着信要求を送信するようにしてもよい。
【００４９】
また、上述した図１において、無線端末装置４０には、内線番号と携帯番号を内部に記憶させることとしているが、内線番号に対応する外線番号も予め記憶させるようにしてもよい。
【００５０】
なお、上記の実施形態では、位置登録要求に含まれる在圏情報としてドメイン名を用いるようにしていたが、本発明は、この実施形態に限られず、宅内ＶｏＩＰ終端装置３０に付与されるＩＰアドレスを設定し、当該ＩＰアドレスが「位置情報」として登録されるようにしてもよい。
【００５１】
なお、上記の実施形態では、固定電話の通信サービスを提供する通信事業者Ａの通信網に接続される宅内ＶｏＩＰ終端装置１０により、位置登録処理が行われる構成について記載したが、本発明は、この実施形態に限られず、例えば、図５で示した公衆無線ＬＡＮサービスを提供する通信事業者Ｃの通信網に宅内ＶｏＩＰ終端装置１０に相当する終端装置を接続して公衆無線ＬＡＮサービスにて位置登録処理を行わせるようにしてもよい。
【図面の簡単な説明】
【００５２】
【図１】本実施形態における通信システムを示すブロック図である。
【図２】同実施形態における宅内ＶｏＩＰ終端装置の内部構成を示すブロック図である。
【図３】同実施形態における宅内ＶｏＩＰ終端装置が備えるデータベースのデータ構成を示した図である。
【図４】同実施形態における位置情報管理装置の内部構成を示すブロック図である。
【図５】同実施形態における位置情報管理装置が備えるデータベースのデータ構成を示した図である。
【図６】同実施形態における宅内ＶｏＩＰ終端装置を介しての位置情報登録処理の流れを示した図である。
【図７】同実施形態における他の通信網を介しての位置情報登録処理の流れを示した図である。
【図８】同実施形態における宅内ＶｏＩＰ終端装置を介しての呼接続処理の流れを示したシーケンス図である。
【図９】同実施形態における宅内ＶｏＩＰ終端装置を介しての呼接続処理の流れを示した図である。
【図１０】同実施形態における他の通信網を介しての呼接続処理の流れを示したシーケンス図である。
【図１１】同実施形態における他の通信網を介しての呼接続処理の流れを示した図である。
【符号の説明】
【００５３】
３０  宅内ＶｏＩＰ終端装置
３１  網側送受信部
３２  転送部
３３  番号対応情報ＤＢ
３４  送信先情報ＤＢ
３５  端末側送受信部３５
３６  アンテナ
【図１】
2007311870.tif 000003
【図２】
2007311870.tif 000004
【図３】
2007311870.tif 000005
【図４】
2007311870.tif 000006
【図５】
2007311870.tif 000007
【図６】
2007311870.tif 000008
【図７】
2007311870.tif 000009
【図８】
2007311870.tif 000010
【図９】
2007311870.tif 000011
【図１０】
2007311870.tif 000012
【図１１】
2007311870.tif 000013